(57)【特許請求の範囲】
【請求項１】
利用者を被写体として撮影し、撮影によって得られた撮影画像の編集を前記利用者に行わせる画像処理装置であって、
前記利用者を被写体として複数回の撮影を行う撮影手段と、
前記撮影画像に合成する背景画像の選択画面に、複数の前記撮影画像を所定の配置で表示させるとともに、色に基づいてグループ化された前記背景画像のグループを複数表示させ、合成先として選択された前記撮影画像の配置位置に応じて、前記背景画像のグループの表示を制御する表示制御手段と、
前記選択画面において選択された前記背景画像を、合成先として選択された前記撮影画像に写る被写体の背景に合成する合成手段と
を備える画像処理装置。
【請求項２】
前記表示制御手段は、合成先として選択された前記撮影画像の配置位置に応じて、前記背景画像の所定のグループを選択可能な前記背景画像のグループとして表示させるとともに、前記所定のグループ以外のグループを選択不可の前記背景画像のグループとして表示させる
請求項１に記載の画像処理装置。
【請求項３】
前記表示制御手段は、前記撮影画像を上下２段に並べて表示させ、上段に配置された前記撮影画像が合成先として選択された場合、２つの前記背景画像のグループのうちの一方のグループを選択可能な前記背景画像のグループとして表示させ、下段に配置された前記撮影画像が合成先として選択された場合、他方のグループを選択可能な前記背景画像のグループとして表示させる
請求項１に記載の画像処理装置。
【請求項４】
前記表示制御手段は、色相を固定とし、彩度と明度を変えた濃い前記背景画像のグループと淡い前記背景画像のグループを、前記背景画像のグループとして表示させる
請求項１乃至３のいずれかに記載の画像処理装置。
【請求項５】
前記表示制御手段は、色相が近い前記背景画像のグループを、前記背景画像のグループとして表示させる
請求項１乃至３のいずれかに記載の画像処理装置。
【請求項６】
前記表示制御手段は、所定の前記背景画像のグループに含まれる前記背景画像が選択された場合、他の前記背景画像のグループに含まれる前記背景画像を、選択された前記背景画像の色に応じた色の前記背景画像に変更させる
請求項１に記載の画像処理装置。
【請求項７】
前記表示制御手段は、色相を固定とし、彩度と明度を変えた濃い前記背景画像のグループと淡い前記背景画像のグループを前記背景画像のグループとして表示させ、濃い前記背景画像のグループと淡い前記背景画像のグループのうちの一方のグループの前記背景画像が選択された場合、他方の前記背景画像のグループに含まれる前記背景画像を、彩度と明度を変えた色の前記背景画像に変更させる
請求項６に記載の画像処理装置。
【請求項８】
前記表示制御手段は、所定の前記背景画像のグループに含まれる前記背景画像が選択された場合、他の前記背景画像のグループに含まれる前記背景画像を、選択された前記背景画像の模様に応じた模様を含む前記背景画像に変更させる
請求項１に記載の画像処理装置。
【請求項９】
前記表示制御手段は、前記撮影画像に合成する前記背景画像が選択される毎に、選択可能な前記背景画像を、数を減らして、先に選択された前記背景画像の色に応じて変化させる
請求項１乃至８のいずれかに記載の画像処理装置。
【請求項１０】
前記表示制御手段は、選択不可の前記背景画像を非表示にするか、選択可能な前記背景画像を、選択不可の前記背景画像より強調して表示させる
請求項９に記載の画像処理装置。
【請求項１１】
前記表示制御手段は、前記選択画面の表示を、前記利用者の操作に応じて、前記背景画像の選択肢となる複数の前記背景画像が個別に表示される状態と、前記撮影画像の数と同じ数の前記背景画像のセットが複数表示される状態とで切り替える
請求項１乃至１０のいずれかに記載の画像処理装置。
【請求項１２】
前記表示制御手段は、前記選択画面を、前記撮影画像の編集時、または、前記シール紙に印刷する前記撮影画像のレイアウトの選択時に表示させる
請求項１乃至１１のいずれかに記載の画像処理装置。
【請求項１３】
利用者を被写体として撮影し、撮影によって得られた撮影画像の編集を前記利用者に行わせる画像処理装置の画像処理方法であって、
前記利用者を被写体として複数回の撮影を行い、
前記撮影画像に合成する背景画像の選択画面に、複数の前記撮影画像を所定の配置で表示させるとともに、色に基づいてグループ化された前記背景画像のグループを複数表示させ、
合成先として選択された前記撮影画像の配置位置に応じて、前記背景画像のグループの表示を制御し、
前記選択画面において選択された前記背景画像を、合成先として選択された前記撮影画像に写る被写体の背景に合成する
ステップを含む画像処理方法。
【発明の詳細な説明】
【技術分野】
【０００１】
本発明は、画像処理装置および画像処理方法に関し、特に、撮影画像に写る被写体の背景に合成する背景画像を個別に複数選択する場合において、統一感のある背景画像を容易に選択することができるようにした画像処理装置および画像処理方法に関する。
【背景技術】
【０００２】
利用者を撮影し、撮影によって得られた撮影画像に対して利用者に編集（落書き）を行わせ、編集後の画像をシール紙に印刷して提供する写真シール機が知られている。このような写真シール機は娯楽（遊戯）施設等に設置される。
【０００３】
写真シール機の中には、撮影画像に写る被写体の背景に合成する背景画像を選択することができるようになされているものがある。例えば、所定の色が付された無地の画像だけでなく、チェック柄、ハート柄、文字などの所定の模様が付された画像が背景画像として用意されており、利用者は、そのような背景画像の中から好みの背景画像を選択し、撮影画像に写る自身の背景に合成させることができる。
【０００４】
特許文献１には、所定のテーマで統一された複数の背景画像を１組のセットとしたセット背景を用意しておくことが開示されている。利用者は、撮影画像毎に背景画像を個別に選択するのではなく、好みのセット背景を一覧から選択することによって、複数の撮影画像のそれぞれに合成させる背景画像を一括で選択することができる。
【０００５】
また、特許文献２には、落書き編集の画面において、背景画像をテイスト毎に分類して表示させる技術が開示されている。落書きに用いるペンツールやスタンプツールについてもテイストに応じたものが選択可能となるため、利用者は、あるテイストを選択することにより、そのテイストに応じた背景画像を撮影画像に合成させるだけでなく、テイストに応じた落書きツールを用いて落書きを行うことができ、これにより、一体感のある合成画像を生成することが可能となる。なお、テイストには、「シンプル」、「オシャレ」、「ポップ」などがある。
【先行技術文献】
【特許文献】
【０００６】
【特許文献１】特開２０１１−２３４２１５号公報
【特許文献２】特開２０１１−２３２６３０号公報
【発明の概要】
【発明が解決しようとする課題】
【０００７】
セット背景を利用することにより、撮影画像毎に個別（１枚毎）に背景画像を選択する必要がなく、個別に選択する場合と較べて選択時間の短縮化を図ることができるが、気に入ったセット背景がない場合がある。
【０００８】
この場合、利用者は背景画像を個別に選択することになるが、選択肢として表示される背景画像が一覧において例えば色の統一性がなくランダムに配置されているときには、好みの色の背景画像をすぐに発見するのが困難になる。
【０００９】
本発明はこのような状況に鑑みてなされたものであり、撮影画像に写る被写体の背景に合成する背景画像を個別に複数選択する場合において、統一感のある背景画像を容易に選択することができるようにするものである。その結果、本発明によれば、複数枚の撮影画像に背景画像を含む合成画像を合成した画像を配置したシール紙として、統一感のあるものを得ることができる。
【課題を解決するための手段】
【００１０】
本発明の一側面の画像処理装置は、利用者を被写体として撮影し、撮影によって得られた撮影画像の編集を前記利用者に行わせる画像処理装置であって、前記利用者を被写体として複数回の撮影を行う撮影手段と、前記撮影画像に合成する背景画像の選択画面に、複数の前記撮影画像を所定の配置で表示させるとともに、色に基づいてグループ化された前記背景画像のグループを複数表示させ、合成先として選択された前記撮影画像の配置位置に応じて、前記背景画像のグループの表示を制御する表示制御手段と、前記選択画面において選択された前記背景画像を、合成先として選択された前記撮影画像に写る被写体の背景に合成する合成手段とを備える。
【００１１】
ここで、背景画像の表示を所定の規則に従って制御するとは、複数の背景画像の表示を制御することを、あらかじめ設定された一定のルールやパターンに従って行うことをいう。
【００１３】
ここで、色は、例えば、色相、彩度、明度を表す値（画素値）によって特定される。色の規則以外にも、背景画像に付されている柄などの模様自体や模様の大きさ、数の規則、撮影画像に写る被写体の色や大きさ（面積）の規則、撮影日時、季節、場所の規則などに従って背景画像の表示が制御されるようにすることも可能である。また、色の規則は、色相、彩度、明度を一定の決まりごとに従って順序づけるものである。そのように順序づけられた色の背景画像を表示すると、それぞれの背景画像の色が順々変わっていくことになるため、全体として見たときに、色が少しずつ変わっていくような印象を利用者に与えることができる。
【００１６】
前記表示制御手段には、合成先として選択された前記撮影画像の配置位置に応じて、前記背景画像の所定のグループを選択可能な前記背景画像のグループとして表示させるとともに、前記所定のグループ以外のグループを選択不可の前記背景画像のグループとして表示させることができる。
【００１７】
前記表示制御手段には、前記撮影画像を上下２段に並べて表示させ、上段に配置された前記撮影画像が合成先として選択された場合、２つの前記背景画像のグループのうちの一方のグループを選択可能な前記背景画像のグループとして表示させ、下段に配置された前記撮影画像が合成先として選択された場合、他方のグループを選択可能な前記背景画像のグループとして表示させることができる。
【００１８】
前記表示制御手段には、色相を固定とし、彩度と明度を変えた濃い前記背景画像のグループと淡い前記背景画像のグループを、前記背景画像のグループとして表示させることができる。
【００１９】
前記表示制御手段には、色相が近い前記背景画像のグループを、前記背景画像のグループとして表示させることができる。
【００２０】
前記表示制御手段には、所定の前記背景画像のグループに含まれる前記背景画像が選択された場合、他の前記背景画像のグループに含まれる前記背景画像を、選択された前記背景画像の色に応じた色の前記背景画像に変更させることができる。
【００２１】
前記表示制御手段には、色相を固定とし、彩度と明度を変えた濃い前記背景画像のグループと淡い前記背景画像のグループを前記背景画像のグループとして表示させ、濃い前記背景画像のグループと淡い前記背景画像のグループのうちの一方のグループの前記背景画像が選択された場合、他方の前記背景画像のグループに含まれる前記背景画像を、彩度と明度を変えた色の前記背景画像に変更させることができる。
【００２２】
前記表示制御手段には、所定の前記背景画像のグループに含まれる前記背景画像が選択された場合、他の前記背景画像のグループに含まれる前記背景画像を、選択された前記背景画像の模様に応じた模様を含む前記背景画像に変更させることができる。
【００２３】
前記表示制御手段には、前記撮影画像に合成する前記背景画像が選択される毎に、選択可能な前記背景画像を、数を減らして、先に選択された前記背景画像の色に応じて変化させることができる。
【００２４】
前記表示制御手段には、選択不可の前記背景画像を非表示にするか、選択可能な前記背景画像を、選択不可の前記背景画像より強調して表示させることができる。
【００２５】
前記表示制御手段には、前記選択画面の表示を、前記利用者の操作に応じて、前記背景画像の選択肢となる複数の前記背景画像が個別に表示される状態と、前記撮影画像の数と同じ数の前記背景画像のセットが複数表示される状態とで切り替えさせることができる。
【００２６】
前記表示制御手段には、前記選択画面を、前記撮影画像の編集時、または、前記シール紙に印刷する前記撮影画像のレイアウトの選択時に表示させることができる。
【００２７】
本発明の画像処理方法は、利用者を被写体として撮影し、撮影によって得られた撮影画像の編集を前記利用者に行わせる画像処理装置の画像処理方法であって、前記利用者を被写体として複数回の撮影を行い、前記撮影画像に合成する背景画像の選択画面に、複数の前記撮影画像を所定の配置で表示させるとともに、色に基づいてグループ化された前記背景画像のグループを複数表示させ、合成先として選択された前記撮影画像の配置位置に応じて、前記背景画像のグループの表示を制御し、前記選択画面において選択された前記背景画像を、合成先として選択された前記撮影画像に写る被写体の背景に合成するステップを含む。
【００２８】
本発明においては、利用者を被写体として複数回の撮影が行われ、前記撮影画像に合成する背景画像の選択画面に、複数の前記撮影画像が所定の配置で表示されるとともに、色に基づいてグループ化された前記背景画像のグループが複数表示される。また、合成先として選択された前記撮影画像の配置位置に応じて、前記背景画像のグループの表示が制御される。また、前記選択画面において選択された前記背景画像が、合成先として選択された前記撮影画像に写る被写体の背景に合成される。
【発明の効果】
【００２９】
本発明によれば、撮影画像に写る被写体の背景に合成する背景画像を個別に複数選択する場合において、統一感のある背景画像を容易に選択することができる。
【図面の簡単な説明】
【００３０】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】床材の平面図である。
【図７】編集ユニットの背面の構成例を示す図である。
【図８】編集ユニットの側面の構成例を示す図である。
【図９】写真シール作成装置の内部の構成例を示すブロック図である。
【図１０】制御部の機能構成例を示すブロック図である。
【図１１】編集処理部の機能構成例を示すブロック図である。
【図１２】編集画像のレイヤ構造の例を示す図である。
【図１３】写真シール作成ゲーム処理の流れの例を説明するフローチャートである。
【図１４】図１３のステップＳ４において行われる編集処理について説明するフローチャートである。
【図１５】背景選択画面の例を示す図である。
【図１６】背景選択画面の他の例を示す図である。
【図１７】背景選択画面のさらに他の例を示す図である。
【図１８】背景画像の表示領域の詳細を示す図である。
【図１９】背景画像の表示領域の表示の切り替えについて説明する図である。
【図２０】背景画像の表示領域の表示の切り替えについて説明する図である。
【図２１】撮影画像の配置の例を示す図である。
【図２２】背景画像の表示領域の表示の切り替えについて説明する図である。
【図２３】背景画像の表示領域の表示の切り替えについて説明する図である。
【図２４】背景画像の表示領域の表示の切り替えについて説明する図である。
【図２５】背景画像の表示領域の表示の切り替えについて説明する図である。
【図２６】背景選択画面の表示の切り替えについて説明する図である。
【図２７】背景選択画面の表示の切り替えについて説明する図である。
【図２８】シール紙の例を示す図である。
【発明を実施するための形態】
【００３１】
＜写真シール作成装置の外観構成＞
図１は、写真シール作成装置１の外観の構成例を示す斜視図である。
【００３２】
写真シール作成装置１は、撮影や編集等の作業を利用者にゲームとして行わせ、撮影画像や編集画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に２人または３人等の複数人である。
【００３３】
写真シール作成装置１で遊ぶ利用者は、自身が被写体となって撮影を行い、撮影によって得られた撮影画像を手書きの文字やスタンプ画像を合成して編集することにより、撮影画像を彩り豊かな画像にする。例えば、利用者は、撮影画像や編集済みの画像である編集画像が印刷されたシール紙を受け取って一連のゲームを終了させる。
【００３４】
図１に示すように、写真シール作成装置１は、基本的に、撮影ユニット１１と編集ユニット１２が接した状態で設置されることによって構成される。
【００３５】
撮影ユニット１１は、撮影部２１と背景部２２から構成される。撮影部２１と背景部２２は離して設置され、撮影部２１と背景部２２の間に形成される空間が、利用者が撮影を行う撮影空間となる。
【００３６】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図３）により構成される。
【００３７】
背景部２２は、正面を向いて撮影を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図３）から構成される。
【００３８】
撮影部２１の右側面を構成する側面パネル４２Ａと背景部２２の側面パネル５２Ａは、ほぼ同一平面に設けられる。側面パネル４２Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４２Ｂと背景部２２の側面パネル５２Ｂも同様に、ほぼ同一平面に設けられ、上部において連結部２３Ｂによって連結され、下部において、床面に設けた金属製の部材である連結部によって連結される。
【００３９】
撮影部２１の側面パネル４２Ａ、連結部２３Ａ、および背景部２２の側面パネル５２Ａに囲まれることによって形成される開口が撮影空間の出入り口となる。また、撮影部２１の側面パネル４２Ｂ、連結部２３Ｂ、および背景部２２の側面パネル５２Ｂに囲まれることによって形成される開口も撮影空間の出入り口となる。撮影空間の内部には床材２７が設置される。利用者は、撮影空間に入り、床材２７の上に立って撮影を行うことになる。
【００４０】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４１】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００４２】
編集ユニット１２は、撮影画像の編集処理を行う装置である。編集ユニット１２は、一方の側面が撮影部２１の背面に接するように撮影ユニット１１に連結して設けられる。編集ユニット１２には、編集処理時に利用者により用いられるタブレット内蔵モニタなどの構成が設けられる。
【００４３】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００４４】
編集ユニット１２の正面側は、床面に対して垂直な面であり、側面パネル４２Ａとほぼ平行な面である面７１と、面７１の上方に形成された斜面７２から構成される。斜面７２には、編集作業に用いられる構成が設けられる。斜面７２の右側には、照明装置７４（図２）の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００４５】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００４６】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００４７】
図２は、写真シール作成装置１を別の角度から見た斜視図である。
【００４８】
後に詳述するが、編集ユニット１２の右側面には、タブレット内蔵モニタや、印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集画像をサーバに送信する機能、ミニゲームの機能などが含まれる。編集ユニット１２の右側面前方の空間が、利用者が事後接客機能を利用する事後接客空間となる。
【００４９】
ここで、写真シール作成ゲームの流れと、それに伴う利用者の移動について説明する。図３は、写真シール作成装置１を上から見た平面図である。
【００５０】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。
【００５１】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５２】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００５３】
編集が終了した後、撮影画像や編集画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００５４】
画像の印刷が終了したとき、利用者は、シール紙排出口からシール紙を受け取り、一連の写真シール作成ゲームを終えることになる。
【００５５】
次に、各装置の構成について説明する。
【００５６】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５７】
正面パネル４１の中央からやや上側には撮影・表示ユニット８１が設けられる。撮影・表示ユニット８１は、カメラ９１、タッチパネルモニタ９２、および正面ストロボ９３から構成される。
【００５８】
カメラ９１は、例えば一眼レフカメラであり、レンズが露出するように撮影・表示ユニット８１の内部に取り付けられる。カメラ９１はCCD(Charge Coupled Device)などの撮像素子を有し、撮影空間Ａ１にいる利用者を撮影する。カメラ９１により取り込まれた動画像は、タッチパネルモニタ９２にリアルタイムで表示される。利用者により撮影が指示されたときなどの所定のタイミングでカメラ９１により取り込まれた静止画は撮影画像として保存される。
【００５９】
カメラ９１の下に設けられたタッチパネルモニタ９２は、LCD(Liquid Crystal Display)などのモニタと、それに積層されたタッチパネルにより構成される。タッチパネルモニタ９２は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９２には、適宜、カメラ９１により取り込まれた動画像（ライブビュー）や撮影画像が表示される。
【００６０】
カメラ９１の上側および左右を半円状の発光面（乳白アクリル板）で囲む正面ストロボ９３は、カメラ９１による撮影に合わせて発光し、被写体としての利用者の顔付近を正面から照射する。
【００６１】
撮影・表示ユニット８１の上方には、曲面の発光面を利用者に向けた右上ストロボ８２および左上ストロボ８３が設置される。右上ストロボ８２および左上ストロボ８３は、カメラ９１による撮影に合わせて発光することで、上方から利用者を照射する。
【００６２】
ベース部４３の正面には利用者の足元を照射する足元ストロボ８４が設けられる。足元ストロボ８４の右側には、利用者が硬貨を入れる硬貨投入返却口８５が設けられる。
【００６３】
ベース部４３の上面には、足元ストロボ８４の上面を挟んでスペース４３Ａおよび４３Ｂが左右に形成される。スペース４３Ａおよび４３Ｂは、撮影を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６４】
［背景部の構成］
図５は、背景部２２の撮影空間Ａ１側の構成例を示す図である。
【００６５】
背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６６】
背面パネル５１の出入り口Ｇ１側の位置には、撮影空間Ａ１内で撮影処理を行っている利用者を右後方から照射する背面右ストロボ１０２が取り付けられる。また、背面パネル５１の出入り口Ｇ２側の位置には、撮影空間Ａ１内で撮影処理を行っている利用者を左後方から照射する背面左ストロボ１０３が取り付けられる。
【００６７】
図６は、床材２７の平面図である。
【００６８】
板や樹脂よりなる床材２７には、角丸の長方形の区画である区画２７Ａと区画２７Ｂが並べて形成される。例えば区画２７Ａと区画２７Ｂは、床材２７にプリントされることによって、またはシートが貼り付けられることによって形成される。
【００６９】
図６においては、上方向が撮影部２１の設置方向であり、下方向が背景部２２の設置方向である。カメラ９１の位置を基準とした場合、区画２７Ａは、カメラ９１に近い位置に形成され、区画２７Ｂは、カメラ９１から遠い位置に形成される。区画２７Ａの短手方向の長さは、区画２７Ｂの短手方向の長さより若干長く、区画２７Ａの長手方向の長さは、区画２７Ｂの長手方向の長さより短い。区画２７Ａと区画２７Ｂの長手方向は、破線で示すカメラ９１の光軸Ｌと略垂直に交わる。
【００７０】
区画２７Ａの内側には「盛れるzone」の文字がプリントされ、区画２７Ｂの内側には「大人数zone」の文字がプリントされる。２人または３人で撮影することを利用者が選択した場合、区画２７Ａの内側に入って撮影することが写真シール作成装置１により案内され、４人で撮影することを利用者が選択した場合、区画２７Ｂの内側に入って撮影することが写真シール作成装置１により案内される。撮影位置の案内は、タッチパネルモニタ９２の表示やスピーカからの音声によって行われる。
【００７１】
区画２７Ａからカメラ９１までの距離は、２人または３人の利用者が区画２７Ａ内に立って撮影したときに、利用者の顔付近が所定の大きさで写る距離とされる。同様に、区画２７Ｂからカメラ９１までの距離は、４人の利用者が区画２７Ｂ内に立って撮影したときに、その利用者の顔付近が所定の大きさで写る距離とされる。
【００７２】
図６の例においては利用者の人数に応じた立ち位置を示す区画として２つの区画が形成されるものとしたが、３つ以上の区画が形成されるようにしてもよい。この場合、より人数の少ない利用者の立ち位置として案内する区画の方が、大人数の利用者の立ち位置として案内する区画よりカメラ９１に近い位置に形成される。また、より人数の多い利用者の立ち位置として案内する区画の長手方向の長さが、小人数の利用者の立ち位置として案内する区画の長手方向の長さより長くなるように形成される。
【００７３】
［編集ユニットの構成］
図７は、編集ユニット１２の背面側（編集空間Ａ２−２側）の構成例を示す図である。
【００７４】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７５】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７６】
図８は、編集ユニット１２の右側面の構成例を示す図である。
【００７７】
編集ユニット１２の側面にはタブレット内蔵モニタ１６１が設けられる。タブレット内蔵モニタ１６１には、事後接客機能を利用するときに用いられる画面が表示される。
【００７８】
タブレット内蔵モニタ１６１の下には、事後接客機能の案内音声、BGM、効果音等などを出力するスピーカ１６２が設けられる。スピーカ１６２の下にはシール紙排出口１６３が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６３から排出される。
【００７９】
［写真シール作成装置の内部構成］
図９は、写真シール作成装置１の内部の構成例を示すブロック図である。上述した構成と同じ構成には同じ符号を付してある。重複する説明については適宜省略する。
【００８０】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００８１】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８２】
通信部２０３は、インターネットなどのネットワークのインタフェースであり、制御部２０１による制御に従って外部の装置と通信を行う。通信部２０３は、例えば撮影画像や編集画像をサーバに送信する。通信部２０３から送信された画像は、サーバにおいて所定のURLの記憶領域が割り当てられて保存され、アクセスしてきた携帯端末のディスプレイに表示される。
【００８３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８４】
ROM２０６には、制御部２０１において実行されるプログラムやデータが記憶されている。RAM２０７は、制御部２０１が処理するデータやプログラムを一時的に記憶する。
【００８５】
撮影部２０８は、撮影空間Ａ１にいる利用者を対象とした撮影処理を行う。撮影部２０８は、硬貨処理部２２１、背景制御部２２２、照明装置２２３、カメラ９１、タッチパネルモニタ９２、およびスピーカ２２４から構成される。
【００８６】
硬貨処理部２２１は、硬貨投入返却口８５に対する硬貨の投入を検出する。硬貨処理部２２１は、４００円などの所定の金額分の硬貨が投入されたことを検出した場合、そのことを表す起動信号を制御部２０１に出力する。
【００８７】
背景制御部２２２は、制御部２０１より供給される背景制御信号に従って背景カーテンユニット２５を制御し、背景カーテンの上げ下げを行う。背景カーテンの上げ下げが利用者により手動で行われるようにしてもよい。
【００８８】
照明装置２２３は、制御部２０１から供給される照明制御信号に従って、撮影空間Ａ１内の各ストロボの発光を制御する。撮影空間Ａ１には、天井ストロボユニット２４のストロボの他に、撮影部２１の右上ストロボ８２、左上ストロボ８３、足元ストロボ８４、正面ストロボ９３、背景部２２の背面中央ストロボ１０１、背面右ストロボ１０２、背面左ストロボ１０３が設けられる。
【００８９】
カメラ９１は、制御部２０１による制御に従って撮影を行い、撮影によって得られた画像を制御部２０１に出力する。
【００９０】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【００９１】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９２】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６２、およびプリンタ２４１から構成される。プリンタ２４１にはシール紙ユニット２４２が装着される。
【００９３】
プリンタ２４１は、制御部２０１から供給された印刷データに基づいて、撮影画像や編集画像をシール紙ユニット２４２に収納されているシール紙に印刷し、シール紙排出口１６３に排出する。制御部２０１からプリンタ２４１に対しては、各画像が配置されたイメージデータが印刷データとして供給される。
【００９４】
［制御部の構成］
図１０は、図９の制御部２０１の機能構成例を示すブロック図である。図１０に示す機能部のうちの少なくとも一部は、制御部２０１内のCPUにより所定のプログラムが実行されることによって実現される。
【００９５】
制御部２０１においては、撮影処理部３０１、編集処理部３０２、印刷処理部３０３、および事後接客処理部３０４が実現される。
【００９６】
撮影処理部３０１は、撮影部２０８の各部を制御し、写真シール作成装置１を利用する際に投入される代金に関する処理や撮影処理を行う。編集処理部３０２は、編集部２０９Ａ、編集部２０９Ｂの各部を制御し、編集処理を行う。印刷処理部３０３は、事後接客部２１０のプリンタ２４１を制御し、印刷処理を行う。事後接客処理部３０４は、事後接客部２１０のタブレット内蔵モニタ１６１を制御するなどして事後接客処理を行う。
【００９７】
［編集処理部の構成例］
図１１は、図１０の編集処理部３０２の機能構成例を示すブロック図である。
【００９８】
編集処理部３０２は、撮影画像取得部３１１、レタッチ処理部３１２、背景合成部３１３、編集部３１４、印刷データ生成部３１５、および表示制御部３１６から構成される。タッチペン１３２Ａ，１３２Ｂを用いて入力され、タブレット内蔵モニタ１３１により受け付けられた利用者の操作の内容を表す信号は、レタッチ処理部３１２、背景合成部３１３、編集部３１４、印刷データ生成部３１５、および表示制御部３１６の各部に供給される。
【００９９】
撮影画像取得部３１１は、編集処理の開始時、撮影処理によって得られた撮影画像を撮影処理部３０１から取得する。撮影処理においては例えば６回の撮影が行なわれる。撮影画像取得部３１１は複数枚の撮影画像を取得し、レタッチ処理部３１２と表示制御部３１６に出力する。
【０１００】
レタッチ処理部３１２は、利用者の操作に応じて、撮影画像取得部３１１により取得された撮影画像のレタッチ（加工、修正）を行う。例えば、レタッチ処理部３１２は、それぞれの撮影画像を対象として、撮影画像に写る利用者の顔や目を検出し、それらの大きさを変えたり、利用者の肌の色の明るさを調整したりする。
【０１０１】
レタッチの最中、レタッチ処理部３１２による処理の結果は表示制御部３１６に供給され、タブレット内蔵モニタ１３１のレタッチ画面に表示される。利用者は、レタッチ画面に表示されるレタッチの結果を見ながら、目の大きさを変える操作などを行うことになる。レタッチ処理部３１２は、レタッチを施した撮影画像を背景合成部３１３に出力する。
【０１０２】
背景合成部３１３は、レタッチ処理部３１２から供給された撮影画像に対して、利用者により選択された背景画像を合成する。背景画像の合成は、撮影画像に写る利用者の領域を検出し、利用者の領域を背景画像に重ね合わせることによって行われる。
【０１０３】
背景画像は、無地の所定の色の画像、あるいは、チェック柄、ハート柄、文字などの模様が付された所定の色の画像であり、複数用意される。利用者は、タブレット内蔵モニタ１３１に表示される選択画面から好みの背景画像を選択する。背景画像の合成は、例えば全ての撮影画像に対して行われる。背景合成部３１３は、背景画像を合成した撮影画像を編集部３１４に出力する。
【０１０４】
後述するように、背景画像の選択の仕方には、複数の撮影画像のそれぞれに合成する背景画像を一括して選択するセット背景を用いた選択と、それぞれの撮影画像に背景画像を１枚ずつ選択する個別選択とがある。個別選択による背景画像の選択は、例えば、背景画像の合成先となる撮影画像を選択し、次に、選択した撮影画像に合成させる背景画像を一覧の中から選択することを繰り返すことによって進められる。
【０１０５】
編集部３１４は、編集空間Ａ２−１や編集空間Ａ２−２において行われる撮影画像に対する編集（落書き）作業に関する処理を行う。撮影画像の編集は、利用者の操作に応じて、手書きの文字やスタンプ画像などの合成用画像を撮影画像に重ねることによって行われる。落書きの最中、編集部３１４による処理の結果は表示制御部３１６に供給され、タブレット内蔵モニタ１３１の編集画面に表示される。
【０１０６】
編集画面には、複数の撮影画像のサムネイル画像が表示されるとともに、その中から選択された１枚の撮影画像が編集対象の画像として拡大して表示される。編集画面には、手書きの文字を入力するときに用いられるペンツール、ハートや星などの所定の模様を入力するときに用いられるスタンプツールも落書きツールとして複数用意される。利用者は、タッチペン１３２Ａ，１３２Ｂを用いて好みの落書きツールを選択し、編集対象の撮影画像を適宜切り替えて落書きを行う。編集部３１４は、利用者の操作に応じて撮影画像の編集を行い、編集済みの撮影画像である編集画像を印刷データ生成部３１５に出力する。
【０１０７】
図１２は、編集画像のレイヤ構造の例を示す図である。
【０１０８】
編集画像Ｐ１は、背景画像Ｐ１１、撮影画像Ｐ１２、前景画像Ｐ１３の各レイヤから構成される。図１２の背景画像Ｐ１１は、所定の色の地にハートや星などの模様が表された画像であり、前景画像Ｐ１３は、落書きによって入力された合成用画像である「Love」の手書き文字を含む画像である。
【０１０９】
編集画像Ｐ１は、撮影画像Ｐ１２に被写体として写る利用者の領域を背景画像Ｐ１１に重ね、その上に前景画像Ｐ１３を重ねることによって生成される。撮影画像Ｐ１２に写る利用者の領域を背景画像Ｐ１１に重ねる処理が背景合成部３１３により行われ、その上に前景画像Ｐ１３を重ねる処理が編集部３１４により行われる。このような構造を有する編集画像が、編集部３１４から印刷データ生成部３１５と表示制御部３１６に供給される。
【０１１０】
印刷データ生成部３１５は、編集部３１４から供給された複数の編集画像を、シール紙に印刷するときの所定のレイアウトに配置し、各編集画像をシール紙上に配置したイメージデータを生成する。印刷データ生成部３１５は、生成したイメージデータを印刷データとしてプリンタ２４１に出力し、シール紙に印刷させる。編集画像のレイアウトは、表示制御部３１６によりタブレット内蔵モニタ１３１に表示される分割数（レイアウト）の選択画面を用いて利用者により選択される。
【０１１１】
表示制御部３１６は、タブレット内蔵モニタ１３１に各種の画面を表示させる。例えば、表示制御部３１６は、撮影画像のレタッチがレタッチ処理部３１２により行われている間、レタッチ画面を表示させ、背景画像の合成処理が背景合成部３１３により行われている間、背景選択画面を表示させる。また、表示制御部３１６は、撮影画像の編集が編集部３１４により行われている間、編集画面を表示させ、編集処理が終了したとき、分割数の選択画面を表示させる。分割数の選択が終了したとき、表示制御部３１６は、事後接客空間Ａ３への移動を案内する画面などもタブレット内蔵モニタ１３１に表示させる。
【０１１２】
［写真シール作成装置の動作］
次に、写真シール作成装置１の動作について説明する。
【０１１３】
はじめに、図１３のフローチャートを参照して、写真シール作成ゲームを提供する写真シール作成装置１の処理について説明する。
【０１１４】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１１５】
硬貨が投入されたとステップＳ１において判定した場合、ステップＳ２において、撮影処理部３０１は撮影処理を行う。撮影処理においては、カメラ９１により取り込まれた動画像がタッチパネルモニタ９２にライブビュー表示され、撮影空間Ａ１にいる利用者を被写体として撮影が行われる。利用者の撮影は上述したように例えば６回行われ、６枚の撮影画像が得られる。当然、撮影回数は６回に限られるものではない。
【０１１６】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画面を表示させることによって、または音声をスピーカ２２４から出力させることによって行われる。
【０１１７】
ステップＳ４において、編集処理部３０２は、編集空間Ａ２−１と編集空間Ａ２−２のうち、撮影を終えた利用者の移動先とした方の編集空間に対応する編集部２０９Ａまたは編集部２０９Ｂを制御して編集処理を行う。編集処理の詳細については、図１４のフローチャートを参照して後述する。
【０１１８】
ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１９】
ステップＳ６において、印刷処理部３０３は印刷処理を行う。印刷処理により、利用者により選択されたレイアウトに従って編集画像がシール紙に印刷される。
【０１２０】
ステップＳ７において、事後接客処理部３０４は、印刷が終わるのを待っている利用者に対する事後接客処理を行う。事後接客処理部３０４は、撮影画像や編集画像を携帯端末に送信する処理などを事後接客処理として行う。
【０１２１】
印刷が終了した場合、ステップＳ８において、事後接客処理部３０４は、画像が印刷されたシール紙をシール紙排出口１６３に排出させ、処理を終了させる。
【０１２２】
［編集処理の例］
次に、図１４のフローチャートを参照して、図１３のステップＳ４において行われる編集処理について説明する。
【０１２３】
ステップＳ２１において、撮影画像取得部３１１は、撮影処理により得られた例えば６枚の撮影画像を取得する。
【０１２４】
ステップＳ２２において、表示制御部３１６は、レタッチガイダンスをタブレット内蔵モニタ１３１に表示させる。レタッチガイダンスの画面には、レタッチ機能の紹介などの情報が表示される。タブレット内蔵モニタ１３１の表示だけでなく、音声による案内もスピーカ２３１から出力される。
【０１２５】
ステップＳ２３において、表示制御部３１６はレタッチ画面をタブレット内蔵モニタ１３１に表示させる。レタッチ画面には、目の大きさや顔の大きさを調整するときに用いられるボタンなどが表示される。
【０１２６】
ステップＳ２４において、レタッチ処理部３１２は、レタッチ画面に対する利用者の操作に応じて、撮影画像のレタッチを行う。
【０１２７】
レタッチが終了したとき、ステップＳ２５において、表示制御部３１６は、背景選択ガイダンスをタブレット内蔵モニタ１３１に表示させる。背景選択ガイダンスの画面には、背景の選択の仕方としてセット背景を用いた選択と個別選択があることなどの情報が表示される。タブレット内蔵モニタ１３１の表示だけでなく、音声による案内もスピーカ２３１から出力される。
【０１２８】
ステップＳ２６において、表示制御部３１６は、背景選択画面をタブレット内蔵モニタ１３１に表示させる。背景選択画面の詳細については後述する。
【０１２９】
ステップＳ２７において、背景合成部３１３は、背景選択画面に対する利用者の操作に応じて、撮影画像に対して背景画像を合成する。
【０１３０】
背景画像の選択が終了したとき、ステップＳ２８において、表示制御部３１６は、落書きガイダンスをタブレット内蔵モニタ１３１に表示させる。落書きガイダンスの画面には、落書き機能の紹介などが表示される。タブレット内蔵モニタ１３１の表示だけでなく、音声による案内もスピーカ２３１から出力される。
【０１３１】
ステップＳ２９において、表示制御部３１６は編集画面をタブレット内蔵モニタ１３１に表示させる。上述したように、編集画面には、編集対象として選択された撮影画像や、各種の落書きツールを選択するときに操作されるボタンなどが表示される。
【０１３２】
ステップＳ３０において、編集部３１４は、編集画面に対する利用者の操作に応じて撮影画像の編集を行う。撮影画像の編集は、例えば、あらかじめ設定された所定の時間が経過するまで、または、編集画面に用意された終了ボタンが操作されるまで続けられる。
【０１３３】
撮影画像の編集が終了したとき、ステップＳ３１において、表示制御部３１６は、複数のレイアウトが表示される分割数選択画面をタブレット内蔵モニタ１３１に表示させる。利用者は好みのレイアウトを選択する。分割数が選択されたとき、図１３のステップＳ４に戻り、それ以降の処理が行われる。
【０１３４】
＜背景選択について＞
図１５は、背景選択画面の例を示す図である。
【０１３５】
図１５の背景選択画面は、背景選択ガイダンスの画面に替えてタブレット内蔵モニタ１３１に表示される。例えば利用者が２人である場合、タブレット内蔵モニタ１３１に向かって左側に立っている利用者がタッチペン１３２Ａを使い、右側に立っている利用者がタッチペン１３２Ｂを使って背景画像を選択する。
【０１３６】
背景選択画面の上方中央には、６枚の撮影画像が２行３列に配置して表示される。上段には、左から順に撮影画像４１１−１乃至４１１−３が配置され、下段には、左から順に撮影画像４１１−４乃至４１１−６が配置されている。撮影画像４１１−１乃至４１１−６は例えば撮影順に配置される。
【０１３７】
撮影画像４１１−１乃至４１１−６は、レタッチによって目の大きさの調整などが施された画像であり、被写体として写る２人の利用者の背景には、撮影空間Ａ１の内側の白色無地の壁面（背面パネル５１の内側）が写っている。撮影画像４１１−１乃至４１１−６に写る利用者の背景は、背景画像が選択されることに応じてリアルタイムで変更される。
【０１３８】
撮影画像４１１−１乃至４１１−６の上には、「好きなセット背景を選んでね」のメッセージが表示されている。セット背景は、あらかじめ設定された背景画像のセットであり、所定のテーマに沿って選択された複数の背景画像から構成される。撮影画像が６枚ある場合、１つのセット背景は６枚の背景画像の組み合わせによって構成される。利用者は、撮影画像４１１−１乃至４１１−６に合成するセット背景を図１５の背景選択画面から選択することができる。
【０１３９】
撮影画像４１１−１乃至４１１−６の下には、選択肢としてのセット背景や背景画像のサンプル画像が表示される横長の領域である背景画像パレット４１２が表示される。背景画像パレット４１２は、表示領域４２１の左側にタブ４３１Ｌ乃至４３４Ｌが縦に並べて表示され、右側にタブ４３１Ｒ乃至４３４Ｒが縦に並べて表示されることによって構成される。
【０１４０】
例えば、タブ４３１Ｌ乃至４３４Ｌは左側の利用者によって操作され、タブ４３１Ｒ乃至４３４Ｒは右側の利用者によって操作される。図１５の例においては、タブ４３１Ｌとタブ４３１Ｒが選択状態となっており、他のタブより大きく表示されている。
【０１４１】
タブ４３１Ｌとタブ４３１Ｒは「写真プリ」の名前が設定されたタブであり、タブ４３２Ｌとタブ４３２Ｒは「カラー」の名前が設定されたタブである。タブ４３３Ｌとタブ４３３Ｒは「デザイン」の名前が設定されたタブであり、タブ４３４Ｌとタブ４３４Ｒは「個別」の名前が設定されたタブである。
【０１４２】
タブ４３１Ｌまたはタブ４３１Ｒが選択されたとき、「写真プリ」のグループに属するセット背景のサンプル画像が表示領域４２１に表示され、タブ４３２Ｌまたはタブ４３２Ｒが選択されたとき、「カラー」のグループに属するセット背景のサンプル画像が表示領域４２１に表示される。また、タブ４３３Ｌまたはタブ４３３Ｒが選択されたとき、「デザイン」のグループに属するセット背景のサンプル画像が表示領域４２１に表示され、タブ４３４Ｌまたはタブ４３４Ｒが選択されたとき、個別選択によって選択される背景画像のサンプル画像が表示領域４２１に表示される。
【０１４３】
すなわち、タブ４３１Ｌ，４３１Ｒ，４３２Ｌ，４３２Ｒ，４３３Ｌ，４３３Ｒはセット背景選択用のタブであり、タブ４３４Ｌ，４３４Ｒは背景画像の個別選択用のタブである。利用者は、タブ４３１Ｌ，４３１Ｒ，４３２Ｌ，４３２Ｒ，４３３Ｌ，４３３Ｒを選択することによってセット背景のグループを切り替えることができ、タブ４３４Ｌ，４３４Ｒを選択することによって個別選択の選択方式を利用することができる。上述したように、個別選択は、撮影画像４１１−１乃至４１１−６のそれぞれに背景画像を１枚ずつ選択する選択方式である。
【０１４４】
セット背景の選択だけでなく、背景画像の個別選択が用意されることにより、利用者は、セット背景を利用することによって背景画像の選択を簡単に済ませることもできるし、個別選択を利用して１枚１枚こだわって選択することもできる。
【０１４５】
図１５の表示領域４２１には、８種類のセット背景（セット背景のサンプル画像）であるセット背景４４１−１乃至４４１−８が上段に４枚、下段に４枚ずつ並べて表示されている。セット背景４４１−１乃至４４１−８の上には、それぞれのセット背景のテーマを表す文字が表示されている。セット背景４４１−１乃至４４１−８は、所定の色の背景画像からなるセット背景とされている。
【０１４６】
セット背景４４１−１乃至４４１−８は、それぞれ、６枚の背景画像が撮影画像４１１−１乃至４１１−６と同じ２行３列に配置されることによって構成される。６枚の背景画像は、それぞれ、対応する位置に配置されている撮影画像の合成に用いられる。利用者は、セット背景４４１−１乃至４４１−８からも、それぞれのセット背景を選んだ時のイメージを確認することができる。
【０１４７】
セット背景４４１−８の右側に表示されているボタン４４２とボタン４４３は、セット背景４４１−１乃至４４１−８上に人物（撮影画像に写る利用者）を表示させるか、表示させないかを選択するときに操作されるボタンである。図１５の例においては、ボタン４４２が選択されており、セット背景４４１−１乃至４４１−８をそれぞれ構成する背景画像上に、撮影画像４１１−１乃至４１１−６に写る利用者の画像が合成されている。ボタン４４３が押された場合、図１６に示すように、セット背景４４１−１乃至４４１−８上に表示されていた人物が消える。
【０１４８】
利用者は、セット背景４４１−１乃至４４１−８上の人物を消すことにより、それぞれのセット背景の詳細を確認することができる。
【０１４９】
図１５の例においては、例えば左側の利用者によりセット背景４４１−１がタッチペン１３２Ａで選択され、セット背景４４１−１を囲むようにカーソルＣが表示されている。セット背景４４１−１が選択されていることにより、撮影画像４１１−１乃至４１１−６は、セット背景４４１−１を構成する背景画像が合成された状態で表示される。セット背景４４１−１は、背景画像なしの状態とするものである。例えば、セット背景４４１−２が選択された場合、撮影画像４１１−１乃至４１１−６の表示は、セット背景４４１−２を構成するそれぞれの背景画像が合成された状態に切り替わる。
【０１５０】
撮影画像４１１−１乃至４１１−６の右側には、背景の選択を終了するときに操作されるＯＫボタン４１３が表示される。例えばセット背景４４１−２を選択した状態でＯＫボタン４１３が押された場合、背景の選択が終了し、セット背景４４１−２を構成する背景画像を合成して得られた撮影画像が編集対象として用いられる。
【０１５１】
図１７は、背景画像の個別選択を選択したときに表示される背景選択画面の例を示す図である。
【０１５２】
図１７の背景選択画面は、タブ４３４Ｌまたは４３４Ｒを選択したときに表示される。個別選択を選択したとき、撮影画像４１１−１乃至４１１−６の上のメッセージは、背景画像を個別に選択することを案内する「背景を選んでね」のメッセージに切り替わる。
【０１５３】
また、表示領域４２１には、１８種類の背景画像（背景画像のサンプル画像）である背景画像４５１−１乃至４５１−１８が３行６列に並べて表示される。個別選択の場合、利用者は、背景画像の合成先とする撮影画像を撮影画像４１１−１乃至４１１−６の中から選択し、続けて、選択した撮影画像に合成する背景画像を背景画像４５１−１乃至４５１−１８の中から選択することを繰り返す。左上の撮影画像から順に、合成先の撮影画像が自動的に選択されるようにしてもよい。
【０１５４】
図１７の例においては、撮影画像４１１−１が合成先の撮影画像として選択されており、撮影画像４１１−１を囲むようにカーソルＣが表示されている。撮影画像４１１−１に合成する背景画像が選択されたとき、撮影画像４１１−１は、選択した背景画像を合成した状態で表示される。
【０１５５】
図１１の表示制御部３１６は、表示領域４２１の背景画像の表示を、例えば背景画像の色の規則に従って制御する。
【０１５６】
［表示例１］
・例１−１
図１８は、背景画像の表示例を示す図である。図１８の表示領域４２１の表示は、図１７の表示領域４２１を拡大して示すものである。
【０１５７】
図１８に一点鎖線で囲んで示すように、１８枚の単色の背景画像である背景画像４５１−１乃至４５１−１８は、濃い色の背景画像のグループＧ１と淡い色の背景画像のグループＧ２にグループ化され、グループ毎にまとめて表示される。
【０１５８】
色は、例えば色相、彩度、明度によって表されるが、色相を所定の値として固定とし、彩度と明度を調整することによって生成された濃い色の背景画像と淡い色の背景画像が写真シール作成装置１に用意される。濃い色の背景画像は、彩度を高くすることによって生成され、淡い色の背景画像は、彩度を低く、かつ明度を高くすることによって生成される。
【０１５９】
当然、色相と彩度を固定として明度のみを調整することにより、明度が変化する態様を表現したり、色相と明度を固定として彩度のみを調整することにより、彩度が変化する態様を表現したりするといったように、色相、彩度、明度のうち、固定とするパラメータ、可変とするパラメータの組み合わせと数は任意である。
【０１６０】
例えば、上段の背景画像４５１−１乃至４５１−６は、赤系の色相を固定とし、彩度と明度を変えることによって生成された色の背景画像である。より濃い赤色の背景画像が左側に配置され、より淡い赤色の背景画像が右側に配置される。
【０１６１】
中段の背景画像４５１−７乃至４５１−１２は、青系の色相を固定とし、彩度と明度を変えることによって生成された色の背景画像である。より濃い青色の背景画像が左側に配置され、より淡い青色の背景画像が右側に配置される。色相を固定とし、彩度と明度を利用者が設定することができるようにしてもよい。
【０１６２】
下段の背景画像４５１−１３乃至４５１−１８は、黄系の色相を固定とし、彩度と明度を変えることによって生成された色の背景画像である。より濃い黄色の背景画像が左側に配置され、より淡い黄色の背景画像が右側に配置される。
【０１６３】
グループＧ１は、濃い赤色、青色、黄色の背景画像のグループであり、グループＧ２は、淡い赤色、青色、黄色の背景画像のグループである。表示制御部３１６は、背景画像の表示を制御することにより、例えば、グループＧ１の濃い色の背景画像を左側の利用者に選択させ、グループＧ２の淡い色の背景画像を右側の利用者に選択させる。
【０１６４】
図１９、図２０は、背景画像の表示の切り替えの例を示す図である。説明の便宜上、適宜、背景選択画面に表示されている撮影画像４１１−１乃至４１１−６を、それぞれ撮影画像Ａ乃至Ｆという。
【０１６５】
図１９（１）に斜線を付して示すように、例えば、合成先の撮影画像として、上段に配置された撮影画像Ａが選択されている場合、表示制御部３１６は、図１９（２）に示すように、グループＧ２の背景画像をグレーアウト表示させるなどして選択不可とし、グループＧ１に属する濃い背景画像のみを選択可能とする。
【０１６６】
上段に配置された撮影画像Ｂや撮影画像Ｃが合成先として選択されている場合も同様に、表示制御部３１６は、背景画像の表示を制御することによって、グループＧ１の背景画像のみを選択可能とさせる。
【０１６７】
一方、図２０（１）に斜線を付して示すように、合成先の撮影画像として下段に配置された撮影画像Ｅが選択されている場合、表示制御部３１６は、図２０（２）に示すように、グループＧ１の背景画像をグレーアウト表示させるなどして選択不可とし、グループＧ２に属する淡い色の背景画像のみを選択可能とする。
【０１６８】
下段に配置された撮影画像Ｄや撮影画像Ｆが合成先として選択されている場合も同様に、表示制御部３１６は、背景画像の表示を制御することによって、グループＧ２の背景画像のみを選択可能とさせる。
【０１６９】
このように合成先とする撮影画像の配置位置に応じて背景画像の表示を切り替えることにより、図２１に示すように、上段の撮影画像にはグループＧ１に属する濃い背景画像のみが合成され、下段の撮影画像にはグループＧ２に属する淡い背景画像のみが合成されることになる。
【０１７０】
上段の背景画像と下段の背景画像にそれぞれ濃淡の統一感が生じるため、例えば、編集を施した撮影画像（編集画像）が図２１に示す配置のままシール紙に印刷されることにより、濃淡に統一性がない場合と較べて見栄えがよいシール紙を得ることが可能になる。
【０１７１】
このようにして背景画像が選択された場合、分割数の選択画面において、図２１に示す配置のまま、すなわち、背景選択画面に表示されている撮影画像の配置のままシール紙に印刷するレイアウトのみが選択可能となるようにしてもよい。
【０１７２】
また、上段に配置された撮影画像に合成する背景画像は左側にいる利用者が選択し、下段に配置された撮影画像に合成する背景画像は右側にいる利用者が選択することになり、背景画像を一緒に選ぶ楽しさを提供することが可能になる。
【０１７３】
図２２は、背景画像の表示の切り替えの他の例を示す図である。
【０１７４】
以上においては、６枚の撮影画像が２行３列に配置されるものとしたが、図２２（１）に示すように３行２列に配置されるようにしてもよい。
【０１７５】
この場合、例えば、図２２（２）に示すように、上段の背景画像４５１−１乃至４５１−６によって濃い色の背景画像のグループＧ１１が構成され、中段の背景画像４５１−７乃至４５１−１２によって中間色（中間の濃淡色）の背景画像のグループＧ１２が構成される。また、下段の背景画像４５１−１３乃至４５１−１８によって淡い色の背景画像のグループＧ１３が構成される。
【０１７６】
例えば、合成先の撮影画像として上段に配置された撮影画像Ａまたは撮影画像Ｄが選択されている場合、表示制御部３１６は、グループＧ１２，Ｇ１３の背景画像をグレーアウト表示させるなどして選択不可とし、グループＧ１１に属する濃い色の背景画像のみを選択可能とする。
【０１７７】
また、合成先の撮影画像として中段に配置された撮影画像Ｂまたは撮影画像Ｅが選択されている場合、表示制御部３１６は、グループＧ１１，Ｇ１３の背景画像をグレーアウト表示させるなどして選択不可とし、グループＧ１２に属する中間色の背景画像のみを選択可能とする。
【０１７８】
合成先の撮影画像として下段に配置された撮影画像Ｃまたは撮影画像Ｆが選択されている場合、表示制御部３１６は、グループＧ１１，Ｇ１２の背景画像をグレーアウト表示させるなどして選択不可とし、グループＧ１３に属する淡い色の背景画像のみを選択可能とする。
【０１７９】
選択肢となる背景画像の表示をこのようにして切り替えることにより、上段の撮影画像にはグループＧ１１に属する濃い背景画像のみが合成され、中段の撮影画像にはグループＧ１２に属する中間色の背景画像のみが合成され、下段の撮影画像にはグループＧ１３に属する淡い背景画像のみが合成されることになる。
【０１８０】
これによっても、背景画像の濃淡にグラデーションが生じ、編集を施した撮影画像を図２２の配置のままシール紙に印刷することにより、見栄えがよいシール紙を得ることが可能になる。
【０１８１】
撮影画像が横一列に並んで表示されるといったように、背景選択画面における撮影画像の数や配置は任意である。
【０１８２】
また、撮影画像の配置が図１９（１）に示す配置である場合において、上段の撮影画像に合成する背景画像として淡い色の背景画像のみを選択可能とし、下段の撮影画像に合成する背景画像として濃い色の背景画像のみを選択可能とするといったように、選択可能とする背景画像も任意である。
【０１８３】
例えば、撮影画像の配置が図２２（１）に示す配置である場合、上段、中段、下段のそれぞれの撮影画像に対して、それぞれ、濃い色、淡い色、中間色の背景画像を選択可能とするようにしてもよいし、濃い色、淡い色、中間色または淡い色の背景画像を選択可能とするようにしてもよい。
【０１８４】
このように、グループを構成する背景画像の組み合わせも任意である。
【０１８５】
色の濃い／淡いによって背景画像のグループを分けるのではなく、色相が近い色の背景画像によって背景画像のグループが構成されるようにしてもよい。例えば、紫系の色の背景画像から構成されるグループと、青系の色の背景画像から構成されるグループの表示を上述したようにして切り替えることにより、上段の撮影画像に対しては紫系の背景画像を合成させ、下段の撮影画像に対しては青系の背景画像を合成させることが可能となる。これにより、色合いが損なわれることを防ぐことができ、色の統一感を生じさせることが可能となる。
【０１８６】
なお、この場合、すべての背景画像を同系統の色とすると色に偏りができすぎてしまうため、模様が付加された背景画像が用意されるようにしてもよい。また、コントラスト、輝度などの色情報を変えた背景画像が用意されるようにしてもよい。
【０１８７】
また、図２２（１）に示す撮影画像の配置において、撮影画像Ａ乃至Ｃに対して濃い色の背景画像を選択可能とし、撮影画像Ｄ乃至Ｆに対して淡い色の背景画像を選択可能とするといったように、撮影画像のグループの組み合わせや、グループを構成する撮影画像の数も任意である。撮影画像Ａ，Ｃ，Ｅから１つのグループが構成され、撮影画像Ｂ，Ｄ，Ｆからもう１つのグループが構成されるといったように、同じグループを構成する撮影画像が並んで配置されていなくてもよい。
【０１８８】
時間変化、季節の変化、利用者の人数、写真シール作成装置１の設置位置（緯度経度）などに応じて、選択可能な背景画像が切り替わるようにしてもよい。例えば、夏には派手な暖色系の背景画像が選択可能となり、冬には落ち着いた寒色系の背景画像の中から選択可能となる。色は一定であるが、背景画像の模様が時間変化などに応じて切り替わるようにしてもよい。
【０１８９】
選択不可の背景画像のグループをグレーアウト表示にするのではなく、表示を消すようにしてもよいし、縮小して表示させるようにしてもよい。左側にいる利用者と右側にいる利用者に選択させる背景画像のグループを分けずに、濃い色の背景画像と淡い色の背景画像のそれぞれの選択可能な枚数を決めておき、その枚数以下しか選択できないようにしてもよい。これにより、利用者同士で相談して楽しみながら、背景画像を選択することができる。
【０１９０】
・例１−２
６枚の撮影画像中に濃い色の背景画像と淡い色の背景画像を混在して合成させる場合について説明したが、合成する背景画像の濃淡を、濃い色と淡い色のいずれか一方に統一させるようにしてもよい。この場合、濃い色の背景画像のみが選択可能となるように、または、淡い色の背景画像のみが選択可能となるように、選択肢としての背景画像の表示が切り替えられる。
【０１９１】
図２３は、背景画像の表示の切り替えの例を示す図である。
【０１９２】
図２３上段の表示領域４２１の表示は、図１８を参照して説明した表示と同じである。すなわち、左側の背景画像のグループであるグループＧ１は濃い色の背景画像のグループであり、右側の背景画像のグループであるグループＧ２は淡い色の背景画像のグループである。撮影画像４１１−１乃至４１１−６の配置は、図１９（１）に示すように２行３列の配置であるものとする。
【０１９３】
例えば、１枚目の合成先の撮影画像として上段に配置された撮影画像Ａが選択され、撮影画像Ａに合成する背景画像として、グループＧ１に属する濃い背景画像が選択された場合、図２３の白抜き矢印の先に示すように、グループＧ２を構成する背景画像は、淡い色の背景画像から、濃い色の背景画像に全て切り替えられる。
【０１９４】
グループＧ２に属する背景画像として新たに表示される背景画像は、例えば、グループＧ１に属する背景画像と彩度、明度が異なる画像である。
【０１９５】
これにより、２枚目以降の撮影画像に合成する背景画像としても濃い色の背景画像が選択されることになり、濃い色の背景画像と淡い色の背景画像が混在する場合と較べて、背景画像の色の統一感を生じさせることが可能になる。また、濃い色の背景画像の選択肢が増えることになる。
【０１９６】
当然、１枚目の撮影画像に合成する背景画像として淡い背景画像が選択されたことに応じて、グループＧ１の濃い色の背景画像が淡い色の背景画像に切り替わるようにしてもよい。
【０１９７】
・例１−３
選択肢として表示領域４２１に表示されている背景画像を異なる色の背景画像に切り替える場合について説明したが、異なる模様が付された背景画像に切り替えるようにしてもよい。
【０１９８】
図２４は、背景画像の表示の切り替えの例を示す図である。
【０１９９】
図２４上段の表示領域４２１の表示は、例えば１枚目の背景画像の選択前の状態を示す。図１８等を参照して説明したものと同様に、左側に配置された背景画像４５１−１乃至４５１−３，４５１−７乃至４５１−９，４５１−１３乃至４５１−１５によってグループＧ１が構成され、右側に配置された背景画像４５１−４乃至４５１−６，４５１−１０乃至４５１−１２，４５１−１６乃至４５１−１８によってグループＧ２が構成される。
【０２００】
グループＧ１に属する背景画像はそれぞれハート柄の模様を含む画像であり、グループＧ２に属する背景画像はそれぞれ星柄の模様を含む画像である。それぞれの背景画像に付されている模様は全て異なる模様である。撮影画像４１１−１乃至４１１−６の配置は、図１９（１）に示すように２行３列の配置であるものとする。
【０２０１】
例えば、１枚目の合成先の撮影画像として上段に配置された撮影画像Ａが選択され、撮影画像Ａに合成する背景画像として、グループＧ１に属する所定のハート柄の背景画像が選択された場合、図２４の白抜き矢印の先に示すように、グループＧ２を構成する背景画像は、星柄の模様を含む背景画像から、ハート柄の模様を含む背景画像に全て切り替えられる。
【０２０２】
グループＧ２に属する背景画像として新たに表示される背景画像のハート柄の模様は、例えば、グループＧ１に属する背景画像のハート柄の模様と異なる模様である。切り替えの前後において、グループＧ２を構成する背景画像の色に変わりはなく、模様のみが切り替わる。
【０２０３】
これにより、２枚目以降の撮影画像に合成する背景画像としてもハート柄の背景画像が選択されることになり、背景画像の模様の統一感を生じさせることが可能になる。また、ハート柄の模様の背景画像の選択肢が増えることになる。
【０２０４】
星柄の模様がハート柄の模様に切り替わるといったように模様の種類が切り替わるのではなく、模様の大きさが切り替わるようにしてもよい。
【０２０５】
例えば、グループＧ１を構成する背景画像が大きなハート柄の模様の背景画像であり、グループＧ２を構成する背景画像が小さなハート柄の模様の背景画像である場合において、１枚目の撮影画像に合成する背景画像としてグループＧ１に属する大きなハート柄の模様の背景画像が選択されたとき、グループＧ２を構成する小さなハート柄の模様の背景画像は、全て、大きなハート柄の模様の背景画像に切り替わる。これによっても、背景画像の模様の統一感を生じさせることが可能になる。
【０２０６】
・例１−４
図２５は、背景画像の表示の切り替えの例を示す図である。
【０２０７】
図２５の最上段の表示領域４２１には、図１８を参照して説明したものと同じ背景画像４５１−１乃至４５１−１８が表示されている。例えば、斜線を付して示すように、１枚目の背景画像（１枚目の撮影画像に合成する背景画像）として背景画像４５１−１が選択された場合、表示制御部３１６は、背景画像４５１−１のＲＧＢ値、コントラスト値、輝度値、色相、鮮明度等の色情報を取得する。
【０２０８】
また、表示制御部３１６は、取得した色情報に基づいて、先に選択された背景画像４５１−１を除く背景画像の中から所定の数の背景画像を選択し、選択した背景画像のみを選択可能な状態で表示させる。例えば、先に選択された画像と並べても色に違和感がない背景画像が選択され、引き続き選択可能な状態で表示される。表示制御部３１６に対しては、違和感のない背景画像の組み合わせがあらかじめ設定されている。
【０２０９】
図２５の白抜き矢印Ａ１の先の例においては、既に選択された背景画像４５１−１を除く１７枚の背景画像の中から、背景画像４５１−３，４５１−４，４５１−５，４５１−７，４５１−８，４５１−１１，４５１−１３，４５１−１５，４５１−１６，４５１−１８の１０枚の背景画像が選択可能な背景画像として表示されている。破線で示す背景画像は、グレーアウト表示などにより選択不可な状態になっていることを示す。グレーアウト表示ではなく非表示になるようにしてもよい。
【０２１０】
白抜き矢印Ａ２の先に斜線を付して示すように、続けて、残っている１０枚の背景画像の中から２枚目の背景画像（２枚目の撮影画像に合成する背景画像）として背景画像４５１−３が選択された場合、表示制御部３１６は、背景画像４５１−３の色情報を取得する。また、表示制御部３１６は、先に選択された背景画像４５１−１，４５１−３と並べても色に違和感がない背景画像を選択し、選択した背景画像を引き続き選択可能な状態で表示させる。
【０２１１】
白抜き矢印Ａ３の先の例においては、既に選択された背景画像４５１−３を除く９枚の背景画像の中から、背景画像４５１−４，４５１−８，４５１−１３，４５１−１５，４５１−１８の５枚の背景画像が選択可能な背景画像として表示されている。
【０２１２】
利用者は、残っている５枚の背景画像の中から、３枚目以降の背景画像を選択することになる。例えば、３枚目の背景画像を選択したとき、選択肢となる背景画像が４枚に絞り込まれ、４枚目の背景画像を選択したとき３枚に絞り込まれる。また、５枚目の背景画像を選択したとき、選択肢となる背景画像が２枚に絞り込まれ、最後に残った２枚の中から、６枚目の背景画像を利用者は選択することになる。
【０２１３】
選択肢が多いと次の選択に戸惑ってしまうことがある。このように選択肢が徐々に自動的に絞られていくことによって、利用者は、先に選択した背景画像と並べても違和感のない画像を効率的に選択することができる。
【０２１４】
また、選択された背景画像は、利用者の嗜好を反映させた色の画像であるとともに、選択済みの背景画像と並べても違和感のない画像である。これにより、利用者に満足感を与えつつも、全体的なバランスのよい背景画像を選択させることが可能になる。
【０２１５】
選択可能な背景画像をそのまま表示し続け、選択不可の背景画像をグレーアウト表示させるのではなく、選択可能な背景画像を選択不可の背景画像より大きく表示させるようにしてもよい。これによっても、利用者は、選択可能な背景画像と選択不可の背景画像を明確に区別することができる。
【０２１６】
選択可能な背景画像が選択不可の背景画像より強調して表示される方式であれば、選択可能／選択不可の表現の方式は任意である。
【０２１７】
以上においては、選択済みの背景画像と並べても違和感のない背景画像以外の背景画像がグレーアウト表示されたり非表示になったりするものとしたが、違和感のない色の背景画像に切り替えられるようにしてもよい。例えば、赤色の背景画像を利用者が選択した場合、それと違和感のある背景画像として設定されている紫色の背景画像は、赤色の背景画像と並べても違和感のない背景画像としてあらかじめ設定されている、橙色の背景画像に切り替えられる。
【０２１８】
これにより、利用者は、並べても違和感のない色の背景画像をより多くの選択肢の中から選択することが可能となる。
【０２１９】
図２５を参照して説明したような選択肢を絞り込んでいく背景画像の表示は、図１８乃至図２４を参照して説明した表示に適用することも可能である。例えば、図２４の背景画像が表示されている状態において、背景画像４５１−１が１枚目の背景画像として選択された場合、図２４を参照して説明したようにしてグループＧ２の表示が切り替えられるとともに、グループＧ１の背景画像のうち、背景画像４５１−１と並べたときに違和感のない所定の数の背景画像のみが、選択可能な背景画像として表示され続ける。
【０２２０】
［表示例２］
以上においては、選択肢となる背景画像の表示を制御する場合について説明したが、利用者が自由に選んだ背景画像の色の規則に応じて、その合成先となった撮影画像の配置を制御するようにしてもよい。
【０２２１】
図２６は、背景選択画面の例を示す図である。
【０２２２】
図２６の背景選択画面は、撮影画像４１１−１乃至４１１−６に対して背景画像が選択された後の画面である。撮影画像４１１−１乃至４１１−６には、それぞれの撮影画像に対して選択された背景画像が合成されている。撮影画像４１１−１，４１１−３，４１１−４に対しては濃い色の背景画像が合成され、撮影画像４１１−２，４１１−５，４１１−６に対しては淡い色の背景画像が合成されている。これらの背景画像は、表示領域４２１にランダムに表示されている背景画像の中から個別に選択されたものである。
【０２２３】
例えば、それぞれの撮影画像に対して背景画像が選択された場合、表示制御部３１６は、各背景画像の色を解析し、図２７に示すように、撮影画像４１１−１乃至４１１−６の配置を、合成された背景画像の色の規則に基づいて変更させる。
【０２２４】
図２７の例においては、淡い色の背景画像が合成された撮影画像４１１−２，４１１−５，４１１−６が上段に配置され、濃い色の背景画像が合成された撮影画像４１１−１，４１１−３，４１１−４が下段に配置されている。
【０２２５】
上段の背景画像と下段の背景画像にそれぞれ濃淡の統一感が生じるため、編集が施された撮影画像を図２７に示す配置のままシール紙に印刷することにより、見栄えがよいシール紙を得ることが可能になる。
【０２２６】
６枚の背景画像の選択が終わったときに撮影画像の並べ替えが行われるのではなく、背景画像が選択される毎に、撮影画像の並べ替えが行われるようにしてもよい。例えば、背景画像が選択されたタイミングで、より濃い色の背景画像が合成された撮影画像が左上に配置され、より淡い色の背景画像が合成された撮影画像が右下に配置されるようにすることにより、全体としてグラデーションを生じさせることが可能となる。
【０２２７】
＜シール紙の例＞
図２８は、編集画像が印刷されたシール紙の例を示す図である。
【０２２８】
図２８（１）は、図２１を参照して説明したように、背景選択画面において、上段の撮影画像の背景画像として濃い色の背景画像が選択され、下段の撮影画像の背景画像として淡い色の背景画像が選択された場合の例を示す図である。
【０２２９】
図２８（２）は、図２２を参照して説明したように、背景選択画面において、上段の撮影画像の背景画像として濃い色の背景画像が選択され、中段の撮影画像の背景画像として中間色の背景画像が選択され、下段の撮影画像の背景画像として淡い色の背景画像が選択された場合の例を示す図である。背景選択画面に表示される配置のままそれぞれの撮影画像が印刷されることにより、このように濃淡に統一性のあるシール紙を生成することが可能になる。個別選択を利用して１枚１枚選択させたとしても、統一性のあるシール紙を生成することができる。
【０２３０】
＜変形例＞
背景画像の色の規則に基づいて背景画像の表示が切り替わるものとしたが、被写体の色の規則に基づいて背景画像の表示が切り替わるようにしてもよい。この場合、例えば、被写体の色（画素値）の平均が求められ、求められた平均の色に応じて、平均の色に合うものとしてあらかじめ設定されている色の背景画像が選択肢として表示される。これにより、被写体の色と背景画像の色とを合わせることが可能になる。
【０２３１】
以上においては、背景画像の選択が、撮影画像の編集の前に行われるものとしたが、背景画像の選択が行われるタイミングは、印刷開始前であればどのタイミングであってもよい。例えば、背景画像の選択が分割数の選択の前に行われるようにしてもよいし、分割数の選択が終わった後に行われるようにしてもよい。
【符号の説明】
【０２３２】
１  写真シール作成装置，  １１  撮影ユニット，  １２  編集ユニット，  ２０１  制御部，  ３０１  撮影処理部，  ３０２  編集処理部，  ３０３  印刷処理部，  ３１１  撮影画像取得部，  ３１２  レタッチ処理部，  ３１３  背景合成部，  ３１４  編集部，  ３１５  印刷データ生成部，  ３１６  表示制御部
【図１】
0006044844.tif 000002
【図２】
0006044844.tif 000003
【図３】
0006044844.tif 000004
【図４】
0006044844.tif 000005
【図５】
0006044844.tif 000006
【図６】
0006044844.tif 000007
【図７】
0006044844.tif 000008
【図８】
0006044844.tif 000009
【図９】
0006044844.tif 000010
【図１０】
0006044844.tif 000011
【図１１】
0006044844.tif 000012
【図１２】
0006044844.tif 000013
【図１３】
0006044844.tif 000014
【図１４】
0006044844.tif 000015
【図１５】
0006044844.tif 000016
【図１６】
0006044844.tif 000017
【図１７】
0006044844.tif 000018
【図１８】
0006044844.tif 000019
【図１９】
0006044844.tif 000020
【図２０】
0006044844.tif 000021
【図２１】
0006044844.tif 000022
【図２２】
0006044844.tif 000023
【図２３】
0006044844.tif 000024
【図２４】
0006044844.tif 000025
【図２５】
0006044844.tif 000026
【図２６】
0006044844.tif 000027
【図２７】
0006044844.tif 000028
【図２８】
0006044844.tif 000029